【手続補正書】
【提出日】平成15年9月29日(2003.9.29)
【手続補正１】
【補正対象書類名】明細書
【補正対象項目名】発明の名称
【補正方法】変更
【補正の内容】
【発明の名称】一体化されたモーターとインペラーを備える圧縮器


【手続補正２】
【補正対象書類名】明細書
【補正対象項目名】特許請求の範囲
【補正方法】変更
【補正の内容】
【特許請求の範囲】
【請求項１】
流体を輸送するためのポンプであって、
回転インペラー部材であって、該回転インペラー部材が回転するときに、前記流体に運動エネルギーを与えるために配置された複数のインペラー・エレメントを含むと共に、前記インペラー部材の回転経路に沿って配置された実質的に非透磁性の材料からなる電気伝導性部分を含む回転インペラー部材と、
前記インペラー部材が回転するときに前記伝導性部分の回転経路に近接して弧状に延在する透磁性の固定子を含むインペラー・ドライバーであって、前記固定子に磁場を誘導するための電気伝導性巻線を有するコア部分と、前記コア部分から離間している電気伝導性くま取り極部分とを含むインペラー・ドライバーと、
前記インペラー部材の前記電気伝導性部分に回転力を与えるために交流電流を前記巻線に導入するための手段と、
を備えることを特徴とするポンプ。
【請求項２】
２つの前記コア部分と２つの前記極部分とを備えるポンプであって、
前記固定子は実質的に前記インペラー部材を囲むリングを含み、
前記巻線は、それぞれが前記コア部分のうちの１つの回りに巻かれた２つのコイルを含み、
各前記極部分は前記リングに配置された電気伝導性部材を含む、
ことを特徴とする請求項１に記載のポンプ。
【請求項３】
前記リングは２つの円周方向スロットを含み、その各々は前記リングの外側円周方向延在部分と前記リング上の内側円周方向延在フィンガーとにより形成され、各前記内側フィンガーはその上に前記極部分のうちの１つを構成する伝導性シースを有することを特徴とする請求項２に記載のポンプ。
【請求項４】
前記インペラー部材は複数のインペラー・ブレードを有する軸流インペラーを備え、前記伝導性部分は前記インペラー・ブレードを囲む金属リングを備えることを特徴とする請求項２に記載のポンプ。
【請求項５】
前記軸流インペラーは、前記伝導性部分を備える金属インサートと共にプラスチック材料から成形されることを特徴とする請求項４に記載のポンプ。
【請求項６】
前記軸流インペラーは伝導性材料が充填されたプラスチック材料を含むことを特徴とする請求項２に記載のポンプ。
【請求項７】
前記インペラー部材は軸流圧縮器を構成することを特徴とする請求項１に記載のポンプ。
【請求項８】
前記インペラー部材は遠心圧縮器を構成することを特徴とする請求項１に記載のポンプ。
【請求項９】
前記インペラー部材は接線流圧縮器を構成することを特徴とする請求項１に記載のポンプ。
【請求項１０】
手持ち式ヘアードライヤーであって、
空気入り口及び空気出口を有するダクトと、
回転インペラー部材であって、該回転インペラー部材が回転するときに前記ダクト内を前記空気入り口から前記空気出口へ流れる空気に運動エネルギーを与えるために前記ダクト内に装置されたシャフトの回りに回転するように配置された複数のインペラー・エレメントを含むと共に、前記インペラー部材の回転経路に沿って配置された実質的に非透磁性の材料からなる電気伝導性部分を含む回転インペラー部材と、
前記ダクトに配置されて前記伝導性部分の回転経路に近接して弧状に延在する透磁性固定子を含むインペラー・ドライバーであって、前記固定子に磁場を誘導するための電気伝導性巻線を有する２つのコア部分と前記コア部分から離間している２つの電気伝導性くま取り極部分とを含むインペラー・ドライバーと、
前記インペラー部材の前記電気伝導性部分に回転力を与えるために交流電流を前記巻線に導入するための手段と、
前記空気入り口から前記空気出口へ流れる空気を加熱するための前記ダクト内に位置する抵抗ヒーターと、
を備えることを特徴とする手持ち式ヘアードライヤー。
【請求項１１】
前記インペラー部材は軸流圧縮器であることを特徴とする請求項１０に記載の手持ち式ヘアードライヤー。
【請求項１２】
前記インペラー部材は接線流圧縮器であることを特徴とする請求項１０に記載の手持ち式ヘアードライヤー。
【請求項１３】
手持ち式ヘアードライヤーであって、
空気入り口と空気出口とを有するダクトと、
第１軸流回転インペラー部材であって、該第１インペラー部材が回転するときに前記ダクト内を前記空気入り口から前記空気出口へ流れる空気に運動エネルギーを与えるために前記ダクト内に配置されたシャフトの回りに回転するように配置された複数のインペラー・ブレードを含むと共に、前記第１インペラー部材の回転経路に沿って配置された電気伝導性部分を含む第１軸流回転インペラー部材と、
前記ダクトに配置されて、前記第１インペラー部材を実質的に囲みその前記伝導性部分の回転経路に近接する透磁性材料のリングを含む第１インペラー・ドライバーであって、前記リングに磁場を誘導するための電気伝導性コイルが巻かれている２つの直径方向に対向するコア部分と前記コア部分から円周方向に離間している２つの直径方向に対向する電気伝導性極部分とを含む第１インペラー・ドライバーと、
第２軸流回転インペラー部材であって、前記第１インペラー部材の下流側に配置され、前記第２インペラー部材が回転するときに前記ダクト内を前記空気入り口から前記空気出口へ流れる空気に運動エネルギーを与えるために前記シャフトの回りに回転するように配置された複数のインペラー・ブレードを含むと共に、前記第２インペラー部材の回転経路に沿って配置された電気伝導性部分を含む第２軸流回転インペラー部材と、
前記ダクトに配置されて、前記第２インペラー部材を実質的に囲みその前記伝導性部分の回転経路に近接する透磁性材料のリングを含む第２インペラー・ドライバーであって、前記リングに磁場を誘導するための電気伝導性コイルが巻かれている２つの直径方向に対向するコア部分と前記コア部分から円周方向に離間している２つの直径方向に対向する電気伝導性極部分とを含む第２インペラー・ドライバーと、
前記第１インペラー部材の前記電気伝導性部分に第１方向の回転力を、そして前記第２インペラー部材の前記電気伝導性部分に第２方向の回転力を与えるために交流電流を前記コイルに導入するための手段と、
前記空気入り口から前記空気出口へ流れる空気を加熱するために前記第２インペラー部材の下流側で前記ダクト内に位置する抵抗ヒーターと、
を備えることを特徴とする手持ち式ヘアードライヤー。
【請求項１４】
各前記極部分は、その他方の端部が前記極部分のうちの一方で終わる前記リング内の円周方向スロットの開放端部に配置されており、
前記第１及び第２のインペラー部材の前記リング内の各前記スロットの前記開放端部は、前記リングの外側円周方向延在部分と前記リングの内側円周方向延在部分とにより形成され、
各前記リングの各前記内側部分は前記コア部分のうちの１つに近接する末端部を有し、且つ前記極部分のうちの１つを構成する金属シースを有することを特徴とする請求項１３に記載の手持ち式ヘアードライヤー。
【請求項１５】
前記インペラー・ドライバーは前記リングと前記ダクトの壁との間にスペースがあって前記スペースを通る空気流を許すように前記ダクト内に配置されることを特徴とする請求項１４に記載の手持ち式ヘアードライヤー。
【請求項１６】
各前記インペラー部材の前記伝導性部分は、前記インペラー・ブレードを囲む金属リングを含むことを特徴とする請求項１４に記載の手持ち式ヘアードライヤー。
【請求項１７】
前記インペラー部材は、前記伝導性部分を備える金属インサートと共にプラスチック材料から成形されることを特徴とする請求項１４に記載の手持ち式ヘアードライヤー。
【請求項１８】
各前記インペラー部材は伝導性材料が充填されたプラスチック材料を含むことを特徴とする請求項１４に記載の手持ち式ヘアードライヤー。
【請求項１９】
流体を輸送するためのポンプであって、
回転インペラー部材であって、該回転インペラー部材が回転するときに、前記流体に運動エネルギーを与えるために配置された複数のインペラー・エレメントを含むと共に、前記インペラー部材の回転経路に沿って配置された実質的に非透磁性の電気伝導性部分を含む回転インペラー部材と、
前記インペラー部材が回転するときに前記伝導性部分の回転経路に近接して弧状に延在する透磁性の固定子を含むインペラー・ドライバーであって、前記固定子に磁場を誘導するための電気伝導性巻線を有するコア部分と、前記コア部分から離間している分離した電気伝導性くま取り極部材とを含むインペラー・ドライバーと、
前記インペラー部材の前記電気伝導性部分に回転力を与えるために交流電流を前記巻線に導入するための手段と、
を備えることを特徴とするポンプ。
【請求項２０】
前記インペラー部材の前記電気伝導性部分は、非鉄金属を含むことを特徴とする請求項１９に記載のポンプ。
【請求項２１】
２つの前記コア部分と２つの前記極部分とを備えるポンプであって、
前記固定子は実質的に前記インペラー部材を囲むリングを含むとともに、該リングは２つの円周方向スロットを含み、
各々の前記スロットは前記リングの外側円周方向延在部分と前記リング上の内側円周方向延在フィンガーとにより形成され、各前記内側フィンガーはその上に前記分離した極部分のうちの１つを構成する伝導性シースを有し、
前記巻線は、それぞれが前記コア部分のうちの１つの回りに巻かれた２つのコイルを含む、
ことを特徴とする請求項１９に記載のポンプ。
【請求項２２】
流体を輸送するためのポンプであって、
回転インペラー部材であって、該回転インペラー部材が回転するときに、前記流体に運動エネルギーを与えるために配置された複数のインペラー・エレメントを含むと共に、前記インペラー部材の回転経路に沿って配置された実質的に非透磁性の材料からなる電気伝導性部分を含む回転インペラー部材と、
前記インペラー部材が回転するときに前記伝導性部分の回転経路に近接して弧状に延在する透磁性の固定子を含むインペラー・ドライバーであって、前記固定子に磁場を誘導するための電気伝導性巻線を有するコア部分と、前記コア部分から離間している実質的に非透磁性の電気伝導性くま取り極部分とを含むインペラー・ドライバーと、
前記インペラー部材の前記電気伝導性部分に回転力を与えるために交流電流を前記巻線に導入するための手段と、
を備えることを特徴とするポンプ。
【請求項２３】
前記インペラー部材の前記電気伝導性部分は、非鉄金属を含むことを特徴とする請求項２２に記載のポンプ。
【手続補正３】
【補正対象書類名】明細書
【補正対象項目名】００２３
【補正方法】変更
【補正の内容】
【００２３】
ブレード、ハブ及び外側リングは適当なプラスチック材料から１部材をなすように一体に成形される。一般に、軸はスチールから作られ、ベアリングはハブ２０４内に適切に成形される真鍮スリーブである。外側リング２０８は、外側リング２０８の外側の周囲に適切に成形される電気伝導リング２１０のための取り付け構造を提供する。伝導リング２１０は、インペラー部材の一体的プラスチック部分が成形された後に外側リング２０８に圧入されても良い。電気伝導リングは、適当な導電率を有するどんな適当な実質的に透磁性の材料であっても良いが、一般には非鉄金属、好ましくは銅又はアルミニウムである。（伝導リング２１０を伴うインペラー部材２０２は図２においてはその描写を簡単にするために断面では示されていない。）インペラー部材２０２の形態は、図４の透視図を参照して認識されてもよい。


【手続補正４】
【補正対象書類名】明細書
【補正対象項目名】００３７
【補正方法】変更
【補正の内容】
【００３７】
当業者はこの構造を、それが、本実施例では伝導性シース２４０，２４２により提供される電気伝導性で、実質的に非透磁性部分によってくま取り（ｓｈａｄｅｄ）された極を有するという事実により、公知のくま取り極電動機と認めるであろう。その様な電動機の性能を強化或いは最適化するために使用される如何なる構造も、応用可能ならば容易に本発明に組み込むことができる。